(57)【要約】【課題】家具ヒンジを提供する。【解決手段】家具ヒンジ２０は、アーム２８、殻体３０、内側連結部材４２、外側連結部材４４、及び弾性装置４６を備える。アーム２８は、少なくとも一つの壁３８ｃを有し、少なくとも一つの壁３８ｃが第一取付構造３６を有する。殻体３０は、アーム２８に相対して閉位置或いは開位置に移動可能である。内側連結部材４２と外側連結部材４４とは、それぞれ端部４８ａ、４８ｂ、５０ａ、５０ｂを有し、端部４８ａ、４８ｂ、５０ａ、５０ｂがシャフト７２、７４、７６、７８により殻体３０とアーム２８にそれぞれ枢接される。弾性装置４６は、アーム２８と殻体３０との間に弾力作用を提供し、弾性装置４６が第二取付構造５２を有するため、第一取付構造３６に取り付けられる。【選択図】  図３
2018076762.tif 000002
【特許請求の範囲】
【請求項１】
アーム、殻体、内側連結部材、外側連結部材、及び弾性装置を備え、
前記アームは、少なくとも一つの壁を有し、前記少なくとも一つの壁が第一取付構造を有し、
前記殻体は、前記アームに相対して閉位置或いは開位置に移動可能であり、
前記内側連結部材は、第一端部及び前記第一端部に相対する第二端部を有し、前記内側連結部材の第一端部が第一シャフトにより前記アームに枢接され、前記内側連結部材の第二端部が第二シャフトにより前記殻体に枢接され、
前記外側連結部材は、第一端部及び前記外側連結部材の第一端部に相対する第二端部を有し、前記外側連結部材の第一端部が第三シャフトにより前記アームに枢接され、前記外側連結部材の第二端部が第四シャフトにより前記殻体に枢接され、
前記弾性装置は、前記アームと前記殻体との間に弾力作用を提供し、前記弾性装置が第二取付構造を有し、前記第一取付構造に取り付けられることを特徴とする家具ヒンジ。
【請求項２】
前記第一取付構造と前記第二取付構造とは、凹又は凸の対応構造を有することを特徴とする請求項１に記載の家具ヒンジ。
【請求項３】
前記弾性装置は、第一弾性部材を備え、
前記第一弾性部材は、第一弾力部、第二弾力部、及び前記第一弾力部と前記第二弾力部とを連結する第一屈曲部を有することを特徴とする請求項１に記載の家具ヒンジ。
【請求項４】
前記弾性装置は、第二弾性部材を備え、
前記第二弾性部材は、第三弾力部、第四弾力部、及び前記第三弾力部と前記第四弾力部とを連結する第二屈曲部を有し、
前記第三弾力部、前記第四弾力部、及び前記第二屈曲部により空間を画定するため、前記第一弾性部材を収容し、
前記第三弾力部は、前記第二取付構造を有することを特徴とする請求項３に記載の家具ヒンジ。
【請求項５】
前記第一弾性部材の第二弾力部は、前記内側連結部材の第一端部に当接されることを特徴とする請求項３に記載の家具ヒンジ。
【請求項６】
前記第二弾性部材の第四弾力部は、前記内側連結部材の第一端部に当接されることを特徴とする請求項４に記載の家具ヒンジ。
【請求項７】
前記内側連結部材の第一端部に隣り合う箇所に取り付けられるカバーをさらに備え、
前記第一弾性部材の第二弾力部及び前記第二弾性部材の第四弾力部の一方が、前記カバーに対応する案内面を有することを特徴とする請求項６に記載の家具ヒンジ。
【請求項８】
前記カバーは、プラスチック材料を含むことを特徴とする請求項７に記載の家具ヒンジ。
【請求項９】
前記第一弾性部材と前記第二弾性部材とは、Ｕ字形の弾性板であることを特徴とする請求項４に記載の家具ヒンジ。
【請求項１０】
前記アームは、第一壁、第二壁、及び前記第一壁と前記第二壁とを連結する第三壁を有し、
前記第一取付構造は、前記第三壁に位置することを特徴とする請求項１に記載の家具ヒンジ。
【発明の詳細な説明】
【技術分野】
【０００１】
本発明は、家具ヒンジに関する。
【背景技術】
【０００２】
一般に家具ヒンジは、家具の可動部材（例えばドアパネル）が固定部材（例えばキャビネット）に相対して閉位置或いは開位置に移動することに役立つ。例えば特許文献１は、種々の家具部材に取り付けられ、ヒンジカップとヒンジアームを備える家具ヒンジを開示している。
ヒンジカップとヒンジアームとは、複数のヒンジリンク（ｈｉｎｇｅ  ｌｉｎｋｓ）により相互に連結される。プレッシャースプリング（例えばレッグスプリング，ｌｅｇ  ｓｐｒｉｎｇ）は、ヒンジリンクに作用し、ヒンジ軸（ｈｉｎｇｅ  ａｘｌｅ）を取り囲む部分を有する。ここでは参考として本文に組み入れる。
【先行技術文献】
【特許文献】
【０００３】
【特許文献１】米国特許第６、４０１、２９８  Ｂ１号明細書
【発明の概要】
【発明が解決しようとする課題】
【０００４】
しかしながら、上述の特許文献の図３は、Ｕ字形のレッグスプリング（Ｕ−ｓｈａｐｅｄ  ｌｅｇ  ｓｐｒｉｎｇ）が、第三軸（ｔｈｉｒｄ  ａｘｌｅ）を取り囲んでいることを開示している。しかし、Ｕ字形のレッグスプリングが第三軸に取り付けられないとき、Ｕ字形のレッグスプリングはヒンジアーム（ｈｉｎｇｅ  ａｒｍ，１）に当接するため、予定位置に固定することはできない。こうした上述の特許文献の組み立てプロセスは、改善すべきである。
【課題を解決するための手段】
【０００５】
本発明の家具ヒンジの弾性装置は、組み立てるときに予定位置に予備的に固定することができるため、家具ヒンジの弾力配置の安定性を確保する。
【０００６】
本発明の観点の一つによる家具ヒンジは、家具アセンブリに用いられる。家具アセンブリは、第一家具部材及び第一家具部材に相対して閉位置或いは開位置に移動する第二家具部材を備える。
家具ヒンジは、アーム、殻体、内側連結部材、外側連結部材、及び弾性装置を備える。
アームは、第一家具部材に取り付けられる。アームは、少なくとも一つの壁を有し、少なくとも一つの壁が第一取付構造を有する。
殻体は、第二家具部材に取り付けられる。
内側連結部材は、第一端部及び前記第一端部に相対する第二端部を有し、内側連結部材の第一端部が第一シャフトによりアームに枢接され、内側連結部材の第二端部が第二シャフトにより殻体に枢接される。
外側連結部材は、第一端部及び外側連結部材の第一端部に相対する第二端部を有し、外側連結部材の第一端部が第三シャフトによりアームに枢接され、外側連結部材の第二端部が第四シャフトにより殻体に枢接される。
弾性装置は、アームと殻体との間に弾力作用を提供し、弾性装置が第二取付構造を有し、第一取付構造に取り付けられる。
【０００７】
好ましくは、第一取付構造と前記第二取付構造とは、凹又は凸の対応構造を有する。
【０００８】
好ましくは、弾性装置は、第一弾性部材を備える。
第一弾性部材は、第一弾力部、第二弾力部、及び第一弾力部と第二弾力部とを連結する第一屈曲部を有する。
第一弾力部は、第二取付構造を有する。
【０００９】
好ましくは、弾性装置は、第二弾性部材を備える。
第二弾性部材は、第三弾力部、第四弾力部、及び第三弾力部と第四弾力部とを連結する第二屈曲部を有する。
第三弾力部、第四弾力部、及び第二屈曲部により空間を画定するため、第一弾性部材を収容する。
第三弾力部は、前記第二取付構造を有する。
【００１０】
好ましくは、第一弾性部材の第二弾力部は、内側連結部材の第一端部に当接される。
【００１１】
好ましくは、第二弾性部材の第四弾力部は、内側連結部材の第一端部に当接される。
【００１２】
好ましくは、家具ヒンジは、内側連結部材の第一端部に隣り合う箇所に取り付けられるカバーをさらに備える。第一弾性部材の第二弾力部及び第二弾性部材の第四弾力部の一方が、カバーに対応する案内面を有する。
【００１３】
好ましくは、カバーは、プラスチック材料を含む。
【００１４】
好ましくは、第一弾性部材と前記第二弾性部材とは、Ｕ字形の弾性板である。
【００１５】
好ましくは、アームは、第一壁、第二壁、及び第一壁と第二壁とを連結する第三壁を有する。第一取付構造は、第三壁に位置する。
【００１６】
本発明の別の観点による家具ヒンジは、アーム、殻体、内側連結部材、外側連結部材、及び弾性装置を備える。
アームは、少なくとも一つの壁を有し、少なくとも一つの壁が第一取付構造を有する。
殻体は、アームに相対して閉位置或いは開位置に移動可能である。
内側連結部材は、第一端部及び第一端部に相対する第二端部を有し、内側連結部材の第一端部が第一シャフトによりアームに枢接され、内側連結部材の第二端部が第二シャフトにより殻体に枢接される。
外側連結部材は、第一端部及び外側連結部材の第一端部に相対する第二端部を有し、外側連結部材の第一端部が第三シャフトによりアームに枢接され、外側連結部材の第二端部が第四シャフトにより殻体に枢接される。
弾性装置は、アームと殻体との間に弾力作用を提供し、弾性装置が第二取付構造を有するため、第一取付構造に取り付けられる。
【図面の簡単な説明】
【００１７】
【図１】本発明の一実施形態の家具ヒンジを家具アセンブリに適用する状態を示す斜視図である。
【図２】本発明の一実施形態の家具ヒンジを示す斜視図である。
【図３】本発明の一実施形態の家具ヒンジを示す分解斜視図である。
【図４】図３のＡ区域の示す拡大図である。
【図５】図３のＢ区域の示す拡大図である。
【図６】本発明の一実施形態の家具ヒンジを家具アセンブリの第一家具部材及び第二家具部材に適用し、家具ヒンジの殻体がアームに相対して開かれる状態を示す模式図である。
【図７】図６のＡ区域の示す拡大図である。
【図８】本発明の一実施形態の家具ヒンジの殻体がアームに相対して閉じられる状態を示す模式図である。
【図９】図８のＡ区域の示す拡大図である。
【発明を実施するための形態】
【００１８】
（一実施形態）
図１に示す通り、本発明の一実施形態の家具ヒンジ２０は、家具アセンブリ２２に用いられる。家具アセンブリ２２は、第一家具部材２４（例えばキャビネット）及び第二家具部材２６（例えばドアパネル）を備える。第二家具部材２６が第一家具部材２４に相対して閉位置或いは開位置に移動できる。
【００１９】
家具ヒンジ２０は、アーム２８及び殻体３０を備える。アーム２８は、ヒンジアームであり、第一家具部材２４に取り付けられる。例えば、アーム２８は、ねじにより第一家具部材２４に固定される。ここにおいて、アーム２８は、部品３２を介して第一家具部材２４に取り付けられる。一方、殻体３０は、ヒンジカップであり、容室３４を有する。殻体３０は、第二家具部材２６に取り付けられる。例えば、殻体３０は、ねじにより第二家具部材２６に固定される。
【００２０】
図２と図３に示す通り、家具ヒンジ２０のアーム２８は、少なくとも一つの壁を有し、少なくとも一つの壁が第一取付構造３６を有する。アーム２８は、第一壁３８ａ、第二壁３８ｂ、及び第一壁３８ａと第二壁３８ｂとを連結する第三壁３８ｃ（或いは中間壁３８ｃ）を有する。ここでは、第一取付構造３６が第三壁３８ｃに位置することを例とする。
更に、第一壁３８ａと第二壁３８ｂは、第三壁３８ｃに対してほぼ垂直に接続する。
第一壁３８ａ、第二壁３８ｂ、及び第三壁３８ｃにより収容空間４０を画定し、家具ヒンジ２０の関連部品を収容する。
【００２１】
図３と図４に示す通り、家具ヒンジ２０は、内側連結部材４２、外側連結部材４４、及び弾性装置４６をさらに備える。内側連結部材４２は、第一端部４８ａ及び第一端部４８ａに相対する第二端部４８ｂを有する。一方、外側連結部材４４は、第一端部５０ａ及び外側連結部材４４の第一端部５０ａに相対する第二端部５０ｂを有する。
【００２２】
弾性装置４６が第二取付構造５２を有するため、第一取付構造３６に取り付けられる（この部分はさらに図５と図６を参照されたい）。第一取付構造３６と第二取付構造５２とは、凹又は凸の対応構造を有する。ここでは、第一取付構造３６が凸部であり、第二取付構造５２が凹部または穴で、凸部を取り付けられることを例とする。しかし、実際には、第二取付構造５２が凸部であり、第一取付構造３６が凹部または穴にもできる。
これによって、弾性装置４６はアーム２８の予定位置に予備的に固定することができる。
【００２３】
好ましくは、弾性装置４６は、第一弾性部材５４及び第二弾性部材５６を備える。好ましくは、第一弾性部材５４と第二弾性部材５６とは、Ｕ字形の弾性板である。第一弾性部材５４は、第一弾力部５８、第二弾力部６０、及び第一弾力部５８と第二弾力部６０とを連結する第一屈曲部６２を有する。第二弾性部材５６は、第三弾力部６４、第四弾力部６６、及び第三弾力部６４と第四弾力部６６とを連結する第二屈曲部６８を有する。第三弾力部６４、第四弾力部６６、及び第二屈曲部６８により空間７０を画定するため、第一弾性部材５４を収容する。第三弾力部６４と第四弾力部６６とは、第一弾力部５８と第二弾力部６０とをそれぞれ当接するため、第一弾性部材５４と第二弾性部材５６とは二重層の弾性構造になる。別の実施形態では、第一弾性部材５４の第一弾力部５８にも第二取付構造５２を有する。
【００２４】
図６と図７に示す通り、殻体３０（或いは第二家具部材２６）は、アーム２８（或いは第一家具部材２４）に相対して開位置に移動可能である。一方、弾性装置４６は、殻体３０とアーム２８との間に弾力作用を提供する。弾性装置４６の第二取付構造５２は、アーム２８の第一取付構造３６に取り付けられる、或いは定位される。
【００２５】
さらに、内側連結部材４２の第一端部４８ａが第一シャフト７２によりアーム２８に枢接され、内側連結部材４２の第二端部４８ｂが第二シャフト７４により殻体３０に枢接される。
一方、外側連結部材４４の第一端部５０ａが第三シャフト７６によりアーム２８に枢接され、外側連結部材４４の第二端部５０ｂが第四シャフト７８により殻体３０に枢接される。
好ましくは、第一弾性部材５４の第二弾力部６０と第二弾性部材５６の第四弾力部６６との両方、またはいずれか一方が内側連結部材４２の第一端部４８ａに当接される。
好ましくは、家具ヒンジ２０は、内側連結部材４２の第一端部４８ａに隣り合う箇所に付けるカバー８０をさらに備える。しかも第一弾性部材５４の第二弾力部６０と第二弾性部材５６の第四弾力部６６との両方、またはいずれか一方がカバー８０に接触する案内面８２を有する。案内面８２は、曲面を例とする。
【００２６】
殻体３０（或いは第二家具部材２６）は、アーム２８（或いは第一家具部材２４）に相対して開位置に移動するとき、案内面８２がカバー８０に接触する。
好ましくは、カバー８０は、プラスチック材料を含み、カバー８０の一部分が第一シャフト７２の周囲を回る。
好ましくは、第一弾性部材５４の第一弾力部５８が第一長さであり、第二弾性部材５６の第三弾力部６４が第二長さである。第一長さは、第二長さより長いために、第一弾力部５８の延伸段８４が第三弾力部６４を超えて、延伸段８４の位置が第三シャフト７６に対応して隣り合う。例えば、第一弾性部材５４の第一弾力部５８の延伸段８４が、アーム２８の第三壁３８ｃと第三シャフト７６との間に位置する。
【００２７】
また、弾性装置４６の第一弾力部５８と弾性装置４６の第三弾力部６４とは、アーム２８の第三壁３８ｃに当接される。一方、弾性装置４６の第二弾力部６０と弾性装置４６の第四弾力部６６とは、カバー８０に当接される。
【００２８】
図６と図８に示す通り、殻体３０（或いは第二家具部材２６）は使用者の操作で、アーム２８（或いは第一家具部材２４）に相対して開位置から閉位置に移動される。
殻体３０（或いは第二家具部材２６）は、アーム２８（或いは第一家具部材２４）に相対して開位置から閉位置へ移動する過程において、弾性装置４６がアーム２８と殻体３０との間に弾力作用を提供するため、殻体３０が開位置から閉位置へ移動するとき、力を持っている（例えば閉合力）。
【００２９】
図８と図９に示す通り、殻体３０（或いは第二家具部材２６）は、アーム２８（或いは第一家具部材２４）に相対して閉じられるとき、カバー８０が案内面８２を離れ、内側連結部材４２の第一端部４８ａがカバー８０により弾性装置４６の第二弾力部６０と第四弾力部６６とに当接される。
また、内側連結部材４２と外側連結部材４４とは、殻体３０の容室３４に収容される。
【００３０】
上記のように、本発明の家具ヒンジの弾性装置は、組み立てるときに予定位置に予備的に固定することができるため、家具ヒンジの弾力配置の安定性を確保する。
【００３１】
本発明は、上述した実施形態に限定されるものではなく、発明の趣旨を逸脱しない範囲で種々の形態で実施可能である。
【符号の説明】
【００３２】
２０    家具ヒンジ、
２２    家具アセンブリ、
２４    第一家具部材、
２６    第二家具部材、
２８    アーム、
３０    殻体、
３２    部品、
３４    容室、
３６    第一取付構造、
３８ａ  第一壁、
３８ｂ  第二壁、
３８ｃ  第三壁、
４０    収容空間、
４２    内側連結部材、
４４    外側連結部材、
４６    弾性装置、
４８ａ  第一端部、
４８ｂ  第二端部、
５０ａ  第一端部、
５０ｂ  第二端部、
５２    第二取付構造、
５４    第一弾性部材、
５６    第二弾性部材、
５８    第一弾力部、
６０    第二弾力部、
６２    第一屈曲部、
６４    第三弾力部、
６６    第四弾力部、
６８    第二屈曲部、
７０    空間、
７２    第一シャフト、
７４    第二シャフト、
７６    第三シャフト、
７８    第四シャフト、
８０    カバー、
８２    案内面、
８４    延伸段。
【図１】
2018076762.tif 000003
【図２】
2018076762.tif 000004
【図３】
2018076762.tif 000005
【図４】
2018076762.tif 000006
【図５】
2018076762.tif 000007
【図６】
2018076762.tif 000008
【図７】
2018076762.tif 000009
【図８】
2018076762.tif 000010
【図９】
2018076762.tif 000011